(57)【要約】【課題】一度揃えたペアの２本の箸が少しの力では容易には離れないようにした磁石内蔵箸を提供する。【解決手段】２本の箸本体の各上端近くと中央部分の同じ位置の側面に穴を穿ち、該穴の中に永久磁石を、その磁束が側面に直角方向に伸び、且つ、２本の箸を並べたときに同じ位置で向き合う二つの永久磁石が互いに引き合う磁極配置で埋め込む。【選択図】図１
0003158567.tif 000002
【実用新案登録請求の範囲】
【請求項１】
永久磁石を埋め込んだ磁石内蔵箸であって、該永久磁石はペアである２本の箸本体の各上端近くと中央部分の同じ位置の側面に穴を穿ち、該穴の中に磁束が前記側面に直角方向に伸び、且つ、２本の箸を並べたときに同じ位置で向き合う二つの永久磁石が互いに引き合うような磁極配置で埋め込まれていることを特徴とする磁石内蔵箸。
【請求項２】
請求項１に記載の磁石内蔵箸において、前記２本の箸本体の前記同じ位置に埋め込まれる二つの永久磁石の一方を磁気を帯びていない強磁性体に置き替えたことを特徴とする磁石内蔵箸。
【考案の詳細な説明】
【技術分野】
【０００１】
本考案は、２本の箸が不使用時にバラバラにならないよう磁石で揃えた状態にしておける磁石内蔵の箸に関する。
【背景技術】
【０００２】
一般家庭で食事に使用される箸の多くは、漆塗装した木、竹、合成樹脂製の箸であり使用後に洗浄して繰り返し使用される。箸は２本をペアで使用するものであるためペアである２本を常に揃った状態で食卓上に準備しなければならない。ところが多数の箸を準備する場合は、洗浄後に必要な箸を一旦、ペアで揃えて準備したとしても食卓上に並べるまでの間に２本がバラバラの状態になって他の箸と混ざってしまう。そのため並べる前に再びペアの２本を探し出して揃える作業が必要になる。また箸は転がりやすいため丁寧に食卓上に並べておかないと離れたり振動で移動したりする。特にレストラン、料亭等で使用する場合には離れたり移動したりすると見苦しくお客に失礼になる。
【０００３】
こうした問題を解決するため箸に磁石を内蔵させ、ペアの２本の箸を揃えた状態にしておくアイディアが提案されている。例えば、特許文献１には図５の（１）に示すような箸本体５１の上端に磁石５２を取り付けた箸５０が提案されている。また、特許文献２には図６の（１）に示すような箸本体５６の長手方向中間に磁石５７を埋め込んだ箸５５が提案されている。これらの箸５０、５５の場合は２本の箸に取り付けた磁石が互いに引き合うため食卓上に並べた後に箸が離れたり位置ずれしたりする心配が少ない。
【０００４】
しかし、例えば図５の（１）に示した箸５０の場合、図５の（２）に示すように２個の磁石５２が互いに引き合って接触した状態のままで２本の箸本体５１の先端部分を矢印のように開かせる旋回トルクが働いた場合には僅かな力でもって先端部分が開いてしまう。先端部分が開くと２個の磁石５２の接触面に位置ずれが生ずる。位置ずれ生ずると２個の磁石５２のＮ極とＳ極との引き合う力が弱まり、ある限度を超えると接触状態を維持できなくなって２本の箸は離れてバラバラになってしまう。図６の（１）に示した箸５５の場合も、図６の（２）に示すような旋回トルクが働いた場合には僅かな力でもって近接した２個の磁石５７の間に位置ずれが生じて引き合う力が弱まり、遂には２本の箸は離れてバラバラになってしまう。
【０００５】
このような旋回トルクが食卓上に置かれた箸に加わることは少ない。しかし、多数の箸を準備する場合は、洗浄後に必要なペアの箸を選び出して揃えて準備したとしても食卓上に運ぶ間にそのような旋回トルクが働いたり、あるいは２個の磁石を引き剥がす直接的な強い力が働いたりすることも多い。前記の箸５０、５５の場合には、そのような力が働くと２本の箸はバラバラの状態になって他の箸と混ざってしまう。そのため食卓上に並べる前に再びペアの２本を探し出して揃える作業が必要になる。
【先行技術文献】
【特許文献】
【０００６】
【特許文献１】特開平０９−１０３３５３号公報
【特許文献２】特開２００７−２８２９０４号公報
【考案の開示】
【考案が解決しようとする課題】
【０００７】
本考案は、従来技術のこうした問題点を解決するためになされたもので、その課題は一度揃えたペアの２本の箸が少しの力では容易には離れないようにした磁石内蔵箸を提供することにある。
【課題を解決するための手段】
【０００８】
前記課題を解決するための請求項１に記載の考案は、永久磁石を埋め込んだ磁石内蔵箸であって、該永久磁石はペアである２本の箸本体の各上端近くと中央部分の同じ位置の側面に穴を穿ち、該穴の中に磁束が前記側面に直角方向に伸び、且つ、２本の箸を並べたときに同じ位置で向き合う二つの永久磁石が互いに引き合うような磁極配置で埋め込まれていることを特徴とする磁石内蔵箸である。
【０００９】
このような構成の磁石内蔵箸によれば同じ位置に埋め込まれた２組の永久磁石によって２本の箸本体部が互いに吸引しあう。一組の永久磁石は箸本体部の上端近くで吸引しあい、他の一組の永久磁石は箸本体部の長手方向中央部分で吸引し合う。このようにかなり離れた２ケ所にて２本の箸本体部間に吸引力が働いているため、２本の箸本体部に先端部を開かせようとする旋回トルクが働いたとしても、それに対する抗力が強いため先端部が開きにくい。そのため２本の箸本体部がバラバラに離れることが防止される。また、磁力で引き合っているため食卓上に並べた後に箸が離れたり位置ずれしたりする心配も少ない。
【００１０】
また、請求項２に記載の考案は、請求項１に記載の磁石内蔵箸において、２本の箸本体の同じ位置に埋め込まれる二つの永久磁石の一方を磁気を帯びていない強磁性体に置き替えたことを特徴とする磁石内蔵箸である。
【００１１】
このような構成の磁石内蔵箸は、２個の永久磁石の代わりに価格の安い２個の強磁性体を使用するため、その分、製作費用を低減できる利点を有する。
【図面の簡単な説明】
【００１２】
【図１】第１の実施形態に係る磁石内蔵箸１の外形図である。
【図２】第１の実施形態に係る磁石内蔵箸１の永久磁石の取り付け図である。
【図３】第１の実施形態に係る磁石内蔵箸１の永久磁石の磁極配置示す図である。
【図４】第２の実施形態に係る磁石内蔵箸１ａの構成図である。
【図５】従来技術に係る磁石内蔵箸の構成例である。
【図６】従来技術に係る磁石内蔵箸の他の構成例である。
【考案を実施するための形態】
【００１３】
以下、本考案に係る磁石内蔵箸の構成例について実施形態に分けて説明する。
（第１の実施形態）
図１は第１の実施形態に係る磁石内蔵箸１の外形図、図２の（１）は磁石内蔵箸１の一方の箸本体部２ａの正面図、図２の（２）はその側面図である。箸本体部２ａ、２ｂは木、竹、合成樹脂等で断面矩形の棒状に製作され、先端にいくに従って細くなっている。
【００１４】
箸本体部２ａには上端近くと長手方向中央部分の２ケ所の側面に穴４ａ、５ａが設けられ、その中に永久磁石６ａ、７ａが埋め込まれている。永久磁石６ａ、７ａは、その磁束が箸本体部２ａの側面に直角な方向に伸びるように埋め込んである。永久磁石６ａ、７ａを埋め込んだ後の穴４ａ、５ａの開口部は、漆等で塞いで埋め込まれた永久磁石６ａ、７ａが見えないようにしてもよいし、塞がずに永久磁石６ａ、７ａの表面が箸本体部２ａの側面表面に一致するようにしておいてもよい。
【００１５】
２本の箸本体部２ａ、２ｂの構成で異なる点は、永久磁石６ａ、６ｂと７ａ、７ａの磁気極性の向きである。永久磁石６ａ、６ｂ、７ａ、７ａを箸１に埋め込む目的は、２本の箸本体部２ａ、２ｂを図１に示すように向かい合わせに並べたときに箸本体部２ａ、２ｂ間に４個の永久磁石により磁気吸引力が働らくようにするためである。そのため、向かい合わせとなる２組の永久磁石６ａ、６ｂ及び７ａ、７ｂは、図３に示すように向かい合わせとなる側の磁気極性を一方はＮ極、他方はＳ極となるような配置で埋め込んである。
【００１６】
本実施形態の磁石内蔵箸１は、２組の永久磁石６ａ、６ｂと７ａ、７ａによって２本の箸本体部２ａ、２ｂを互いに磁気吸引させる。そして、一組の永久磁石６ａ、６ｂは箸本体部２ａ、２ｂの上端近くで吸引しあい、他の一組の永久磁石７ａ、７ａは箸本体部２ａ、２ｂの長手方向中央部分で吸引し合う。このようにかなり離れた２ケ所にて２本の箸本体部２ａ、２ｂ間に磁気吸引力が働いているため、図５の（２）、図６の（２）の矢印で示したような箸本体部２ａ、２ｂの先端部を開かせようとする旋回トルクが働いたとしても、それに対する抗力が強いため先端部が開きにくい。従って、磁力で吸引し合っている２本の箸本体部２ａ、２ｂがバラバラに離れることが防止される。また、食卓上に並べた後に箸が離れたり位置ずれしたりする心配が少ない利点は、従来の磁石内蔵箸５０、５５と同様である。
【００１７】
（第２の実施形態）
図４は第２の実施形態に係る磁石内蔵箸１ａの構成図である。この磁石内蔵箸１ａが第１の実施形態に係る磁石内蔵箸１と異なる点は、向かい合わせとなる２組の永久磁石６ａ、６ｂと７ａ、７ａの各組の一方の永久磁石を磁気を帯びていない強磁性体に置き替えた点である。図４では箸本体部２ｂ側の埋め込み磁石を強磁性体８ｂ、９ｂに置き替えてある。このように強磁性体８ｂ、９ｂに置き替えても、それに向かい合わせとなる永久磁石６ａ、６ｂによって強磁性体８ｂ、９ｂとの間に磁気吸引力が働くため２本の箸本体部２ａ、２ｂ間にも吸引力が働く。従って、２本の箸本体部２ａ、２ｂを離そうとする力に抗することができる。
【００１８】
本実施形態の磁石内蔵箸１ａは、２個の永久磁石に代えて価格の安い２個の強磁性体を使用するためその分、製作費用を低減できる利点を有する。
【符号の説明】
【００１９】
図面中、１、１ａは磁石内蔵箸、２ａ、２ｂは箸本体、４ａ、５ａは磁石取り付け穴、６ａ、６ｂ、７ａ、７ｂは永久磁石、８ｂ、９ｂは強磁性体を示す。
【図１】
0003158567.tif 000003
【図２】
0003158567.tif 000004
【図３】
0003158567.tif 000005
【図４】
0003158567.tif 000006
【図５】
0003158567.tif 000007
【図６】
0003158567.tif 000008